(57)【要約】【課題】色再現域の広い記録媒体及び記録媒体の記録方法を提供する。【解決手段】本発明にかかる記録媒体は、カラーの色再現が可能な構成であり、Ｒ、Ｇ、Ｂと、更にこれらのうちいずれか１つの光を吸収することで干渉縞を形成する、少なくとも４つの色再現領域を備え、また、該記録媒体の記録方法は、レーザ光によってそれぞれ波長の異なる干渉縞を形成する。【選択図】図１
2007171400.tif 000002
【特許請求の範囲】
【請求項１】
カラーの色再現が可能な記録媒体であって、
Ｒ、Ｇ、Ｂと、更にこれらのうちいずれか１つの光を吸収することで干渉縞を形成する、少なくとも４つの色再現領域を備えていることを特徴とする記録媒体。
【請求項２】
前記色再現領域が受光する面に対してマトリックス状に配列されていることを特徴とする請求項１に記載の記録媒体。
【請求項３】
前記色再現領域のうち、いずれか複数の色再現領域がマトリックス状に配列され、かつ、他の色再現領域に堆積した構成であることを特徴とする請求項２に記載の記録媒体。
【請求項４】
前記色再現領域がそれぞれ堆積された構成であることを特徴とする請求項１に記載の記録媒体。
【請求項５】
前記色再現領域が銀塩感材、重クロム酸処理ゼラチン、フォトレジスト・フォトポリマーのいずれかであることを特徴とする請求項１から４のいずれか１つに記載の記録媒体。
【請求項６】
カラーの色再現が可能で、Ｒ、Ｇ、Ｂと、更にこれらのうちいずれか１つの光を吸収することで干渉縞を形成する、少なくとも４つの色再現領域を備えた記録媒体の記録方法であって、
前記色再現領域に、レーザ光によってそれぞれ波長の異なる干渉縞を形成することを特徴とする記録媒体の記録方法。
【請求項７】
前記色再現領域が受光する面に対してマトリックス状に配列されており、それぞれの色再現領域にパターン露光することにより干渉縞を形成することを特徴とする請求項６に記載の記録媒体の記録方法。
【請求項８】
前記色再現領域のうち、いずれか複数の色再現領域がマトリックス状に配列され、かつ、他の色再現領域に堆積した構成であることを特徴とする請求項７に記載の記録媒体の記録方法。
【請求項９】
前記色再現領域がそれぞれ堆積された構成であることを特徴とする請求項６に記載の記録媒体の記録方法。
【請求項１０】
前記色再現領域が銀塩感材、重クロム酸処理ゼラチン、フォトレジスト・フォトポリマーのいずれかであることを特徴とする請求項６から９のいずれか１つに記載の記録媒体の記録方法。
【発明の詳細な説明】
【技術分野】
【０００１】
本発明は、レーザ光によって干渉縞を形成することで、色素を使用しないで色再現を実現する記録媒体及び記録媒体の記録方法に関する。
【背景技術】
【０００２】
従来、カラープリントやカラーリバーサルなどの色素を用いた記録媒体やこのような記録媒体の記録方法は色再現域が狭いという欠点があった。
また、ホログラフィーでは色素ではなく干渉縞を用いた色再現方法が用いられている。
【発明の開示】
【発明が解決しようとする課題】
【０００３】
しかし、ホログラフィーでは、表現する画像の色再現性よりも、その画像を立体的に表現するために、コヒーレント長の長いレーザを使用している。このため、使用できる波長が制限されており、また、波長を増やすことができなかった。
【０００４】
本発明は、上記事情に鑑みてなされたもので、その目的は、色再現域の広い記録媒体及び記録媒体の記録方法を提供することにある。
【課題を解決するための手段】
【０００５】
本発明の上記目的は、下記構成によって達成される。
（１）  カラーの色再現が可能な記録媒体であって、Ｒ、Ｇ、Ｂと、更にこれらのうちいずれか１つの光を吸収することで干渉縞を形成する、少なくとも４つの色再現領域を備えていることを特徴とする記録媒体。
（２）  前記色再現領域が受光する面に対してマトリックス状に配列されていることを特徴とする上記（１）に記載の記録媒体。
（３）  前記色再現領域のうち、いずれか複数の色再現領域がマトリックス状に配列され、かつ、他の色再現領域に堆積した構成であることを特徴とする上記（２）に記載の記録媒体。
（４）  前記色再現領域がそれぞれ堆積された構成であることを特徴とする上記（１）に記載の記録媒体。
（５）  前記色再現領域が銀塩感材、重クロム酸処理ゼラチン、フォトレジスト・フォトポリマーのいずれかであることを特徴とする上記（１）から（４）のいずれか１つに記載の記録媒体。
（６）  カラーの色再現が可能で、Ｒ、Ｇ、Ｂと、更にこれらのうちいずれか１つと干渉し且つそれぞれ異なる波長の光と干渉する４つの色再現領域を備えた記録媒体の記録方法であって、前記４つの色再現領域に、レーザ光によってそれぞれ波長の異なる干渉縞を形成することを特徴とする記録媒体の記録方法。
（７）  前記色再現領域が受光する面に対してマトリックス状に配列されており、それぞれの色再現領域にパターン露光することにより干渉縞を形成することを特徴とする上記（６）に記載の記録媒体の記録方法。
（８）  前記色再現領域のうち、いずれか複数の色再現領域がマトリックス状に配列され、かつ、他の色再現領域に堆積した構成であることを特徴とする上記（７）に記載の記録媒体の記録方法。
（９）  前記色再現領域がそれぞれ堆積された構成であることを特徴とする上記（６）に記載の記録媒体の記録方法。
（１０）  前記色再現領域が銀塩感材、重クロム酸処理ゼラチン、フォトレジスト・フォトポリマーのいずれかであることを特徴とする上記（６）から（９）のいずれか１つに記載の記録媒体の記録方法。
【０００６】
本発明は、Ｒ、Ｇ、Ｂと、更にこれらのうちいずれか１つの光を吸収することで干渉縞を形成する、少なくとも４つの色再現領域を備えている。このため、レーザ光によってそれぞれの色再現領域に波長の異なるレーザを照射することで、各色再現領域に画像を干渉縞の形で記録することができる。そして、干渉縞が記録された記録媒体を再生する際には、記録媒体に白色光を照射することで、レーザにより記録された各干渉縞により、白色光に含まれる光のうち各干渉縞に対応する波長成分の光が干渉効果によりピーク幅の狭い反射光として観測される。このとき、記録媒体は、少なくとも４つの色再現領域を有するため、より一層広い色再現性を実現することができる。なお、色再現領域は５つ以上あってもよい。
【発明の効果】
【０００７】
本発明によれば、色再現域の広い記録媒体及び記録媒体の記録方法を提供できる。
【発明を実施するための最良の形態】
【０００８】
以下、本発明にかかる記録媒体の実施形態を図面に基づいて詳しく説明する。
図１は、本発明にかかる記録媒体の第１実施形態の構成を説明する図である。図２は、図１の記録媒体を一点鎖線で示す矢印方向に見た断面の構成を説明する図である。
【０００９】
図１に示すように、本実施形態の記録媒体１０は、Ｒの波長の光と干渉する色再現領域１１と、Ｇの波長の光と干渉する色再現領域１２と、Ｂの波長の光と干渉する色再現領域１３と、Ｇ’の波長の光と干渉する色再現領域１４とを備えている。これら４つ色再現領域は、再生時に白色光が照射される受光の面（図１を正面）に対して平行であって、それぞれの色再現領域が縦と横とに直線上に位置するようにマトリックス状に配列されている。
【００１０】
具体的には、４つの色再現領域は、Ｒ，Ｇ，Ｂ，Ｇ’がそれぞれ、縦方向及び横方向に対して同じ色同士で隣接することがないように配列されている。Ｒ，Ｇ，Ｂ，Ｇ’の４色の配置は、本実施形態の構成に限定されず、Ｒ，Ｇ，Ｂ，Ｇ’が受光の面に対して偏ることなく、画像の色むらとならない範囲において自由に配列することができる。
【００１１】
なお、図２では、レーザ光によって、Ｒの色再現領域１１と、Ｇ’の色再現領域１４とに干渉縞が形成された状態を示している。
【００１２】
記録媒体１０の色再現領域１１，１２，１３，１４は、レーザ光によって干渉縞が形成可能な材料で構成されている。色再現領域１１，１２，１３，１４の材料としては、銀塩感材、重クロム酸処理ゼラチン、フォトレジスト・フォトポリマーのいずれかを使用することができる。
【００１３】
図３は、本実施形態の記録媒体の構成の変形例を示している。図３に示すように、記録媒体２０は、下側色再現領域層２０ａと上側色再現領域層２０ｂとの２層構造を有している。
【００１４】
下側色再現領域層２０ａは、Ｇの波長の光と干渉する色再現領域２２と、Ｇ’の波長の光と干渉する色再現領域２４とを有している。下側色再現領域層２０ａは、色再現領域２２，２４が、受光の面（図３中上方視した面）に対してマトリックス状に配列されている。
【００１５】
上側色再現領域層２０ｂは、Ｒの波長の光と干渉する色再現領域２１と、Ｂの波長の光と干渉する色再現領域２３とを有している。上側色再現領域層２０ｂは、下側色再現領域層２０ａの色再現領域２２，２４と同様に、色再現領域２１，２３が、受光の面（図３中上方視した面）に対してマトリックス状に配列されている。
【００１６】
記録媒体２０において、下側色再現領域層２０ａ及び上側色再現領域層２０ｂに配列される色再現領域は特に限定されず、Ｒ，Ｇ，Ｂと、更にこれらのうちいずれか１つからなる４つの色再現領域のうち、いずれか複数を上側色再現領域層２０ｂ（又は下側色再現領域層２０ａ）とし、他の色再現領域を下側色再現領域層２０ａ（又は下側色再現領域層２０ｂ）に配置してもよい。
【００１７】
次に、本発明にかかる記録媒体の記録方法を説明する。
図４は、本発明にかかる記録媒体の記録方法を説明する図である。なお、図１及び図２に示した第１実施形態の記録媒体に記録を行う方法を例としているが、図３に示す記録媒体にも以下と同様の方法によって記録を行うことができる。
【００１８】
最初に、記録媒体１０を図示しないステージなどの所定の位置に配置する。そして、レーザ照射部４１よりレーザ光を所定のエネルギー量及び波長で照射し、ハーフミラーなどの回折手段４２，４３によって波長ごとに分光する。
【００１９】
分光されたレーザ光を所定のマスクパターンが形成されたマスク４４を透過するとともに、記録媒体１０に照射される。このとき、記録媒体１０に形成する色再現領域ごとにマスク４４を変更しつつパターン露光を繰り返すことで、色再現領域ごとにそれぞれ波長の異なるレーザ光を照射し、干渉縞の間隔を調整することができる。こうして、図１に示すように、記録媒体１０に４つの色再現領域を形成することができ、それぞれの色再現領域においてＲ，Ｇ，Ｂ及びＧ’の波長の光を吸収する干渉縞を形成することができる。
【００２０】
記録媒体１０，２０は、Ｒ、Ｇ、Ｂと、更にこれらのうちいずれか１つと干渉し且つそれぞれ異なる波長の光と干渉する４つの色再現領域１１，１２，１３，１４，２１，２２，２３，２４を備えている。そして、干渉縞が記録された記録媒体１０，２０を再生する際には、記録媒体に白色光を照射することで、各干渉縞により白色光に含まれる光のうち対応する波長の光が干渉効果によりピーク幅のせまい反射光として観測される。このとき、記録媒体１０，２０は、４つの色再現領域を有するため、より一層広い色再現性を実現することができる。
【００２１】
また、上述した記録方法によれば、記録媒体１０，２０にレーザ光によってそれぞれの色再現領域１１，１２，１３，１４，２１，２２，２３，２４に波長の異なるレーザを照射することで、各色再現領域に画像を干渉縞の形で記録することができる。
【００２２】
図５に、本発明にかかる記録媒体の第２実施形態の構成を示す。なお、以下に説明する実施形態において、すでに説明した部材などと同等な構成・作用を有する部材等については、図中に同一符号又は相当符号を付すことにより、説明を簡略化或いは省略する。
【００２３】
本実施形態の記録媒体３０は、４つの色再現領域を垂直方向（図５の上下方向）に堆積させた構成である。具体的には、白色光を照射する側から順に、Ｒの波長の光と干渉する色再現領域３１と、Ｇの波長の光と干渉する色再現領域３２と、Ｂの波長の光と干渉する色再現領域３３と、Ｇ’の波長の光と干渉する色再現領域３４とを堆積させた構成である。なお、図５において、各色再現領域３１，３２，３３，３４に干渉縞が形成されている状態を示している。
【００２４】
記録媒体３０は、Ｒ、Ｇ、Ｂと、更にこれらのうちいずれか１つと干渉し且つそれぞれ異なる波長の光と干渉する４つの色再現領域を備えている。そして、干渉縞が記録された記録媒体３０を再生する際に、記録媒体３０に図５中矢印で示すように白色光を照射することで、各干渉縞により白色光に含まれる光のうち対応する波長成分の光が干渉効果によりピーク幅の狭い反射光として観測される。このとき、記録媒体は、４つの色再現領域を有するため、より一層広い色再現性を実現することができる。
【００２５】
記録媒体３０に記録を行う場合には、図４で示した記録方法を使用することができる。記録媒体３０の４つの色再現領域を、予め、それぞれ単層で形成する。そして、単層の各色再現領域ごとに、レーザ照射部４１によって所望の波長のレーザ光で露光し、干渉縞を形成する。このとき、記録媒体３０の構成では、単層ごとに一様のレーザ光を照射すればよいため、マスク４４を設ける必要がなく、省略できる。
【００２６】
４つの単層である各色再現領域にそれぞれ干渉縞を形成した後、互いに貼り合わせることで、４つの色再現領域を堆積させた構成とすることができる。なお、本実施形態の記録媒体３０は、２光子吸収材料などを用いて、レーザ光によって深さ方向（記録媒体３０の厚さ方向）に複数種の干渉縞を形成してもよい。
【００２７】
（実施例）
次に、本発明にかかる記録媒体と従来の記録媒体との色再現性を比較する試験を行った。本試験では、実施例として上記第１実施形態の構成を有する記録媒体を使用した。
【００２８】
本試験において、以下（１）から（４）の操作を順に行うこととした。
（１）  最初に、マルチバンドカメラなどで被写体の分光反射率データを作成する。
（２）  上の（１）で作成された分光反射率データをもとに、再生光源の波長分布を考慮し、再生画像に対して各干渉縞の最適な干渉強度を計算する。
（３）  4種以上のレーザによって銀塩の微粒子感材に干渉縞を作成する。再生波長λに対し、干渉縞の幅は光路長で１/２λとなる。
（４）白色光を照射し、再生画像を鑑賞する。本試験の実施例及び比較例の記録媒体のそれぞれの色再現域を図６に示す。図６に示すように、再生画像は、加色法により再生されるので、再生画像の色域は色度図において、４（干渉縞の種類数）角形で囲まれた領域となる。この結果より、本実施例の記録媒体が、比較例の記録媒体に比べて色再現域が広いことがわかった。
【００２９】
なお、本発明は、前述した実施形態に限定されるものではなく、適宜な変形、改良などが可能である。
例えば、上記記録媒体の記録方法では、レーザ光の波長を制御することで干渉縞の幅を調整したが、現像処理などにより記録後の収縮を利用して制御してもよい。
【図面の簡単な説明】
【００３０】
【図１】本発明にかかる記録媒体の第１実施形態の構成を説明する図である。
【図２】図１の記録媒体を一点鎖線で示す矢印方向に見た断面の構成を説明する図である。
【図３】第１実施形態の記録媒体の構成の変形例を示している。
【図４】本発明にかかる記録媒体の記録方法を説明する図である。
【図５】本発明にかかる記録媒体の第２実施形態の構成を示す。
【図６】記録媒体の色再現域を説明する図である。
【符号の説明】
【００３１】
１０，２０，３０    記録媒体
１１，１２，１３，１４    色再現領域
２１，２２，２３，２４    色再現領域
３１，３２，３３，３４    色再現領域
【図１】
2007171400.tif 000003
【図２】
2007171400.tif 000004
【図３】
2007171400.tif 000005
【図４】
2007171400.tif 000006
【図５】
2007171400.tif 000007
【図６】
2007171400.tif 000008